(57)【要約】      （修正有）【課題】簡単かつ安価な構成で、複数の異なる高さから払い出された薬剤を、それ程時間差を生じさせることなく、スムーズに集約して回収することのできる薬剤払出装置、ホッパー、及び、その製造方法を提供する。【解決手段】上下方向に並設される複数のカセット装着部２と、カセット装着部２に沿って上下方向に延びる錠剤通路４とを備えた薬剤供給ユニット１と、薬剤供給ユニット１の各カセット装着部２に着脱可能で、薬剤が排出可能に収容される薬剤カセット３と、薬剤カセット３から払い出されて錠剤通路４を落下した錠剤を集めるホッパー５とを備える。ホッパー５は、錠剤通路４に対応する案内通路７を備える。案内通路７は、錠剤通路４からの薬剤が衝突して、順次、ジグザグ状に方向変換する複数の方向変換部を備える。【選択図】図１
2014205055.tif 000002
【特許請求の範囲】
【請求項１】
上下方向に並設される複数の錠剤収容部と、前記錠剤収容部に沿って上下方向に延びる錠剤通路とを備えた薬剤供給ユニットと、
前記錠剤収容部から払い出されて前記錠剤通路を落下した錠剤を集める案内通路と、
を備え、
前記案内通路は、前記錠剤通路からの薬剤が衝突して、方向変換する複数の方向変換部を備えたことを特徴とする薬剤払出装置。
【請求項２】
前記方向変換部は、衝突する錠剤を、少なくとも上方には向かわないように方向変換させることを特徴とする請求項１に記載の薬剤払出装置。
【請求項３】
前記方向変換部は、傾斜方向の相違する複数の傾斜面で構成したことを特徴とする請求項１又は２に記載の薬剤払出装置。
【請求項４】
前記方向変換部による方向変換の振れ幅は、下方に向かうに従って小さくなるようにしたことを特徴とする請求項１から３のいずれか１項に記載の薬剤払出装置。
【請求項５】
前記案内通路は、下方側に向かうに従って開口面積が小さくなるように形成されていることを特徴とする請求項１から３のいずれか１項に記載の薬剤払出装置。
【発明の詳細な説明】
【技術分野】
【０００１】
本発明は、薬剤払出装置、この薬剤払出装置に使用される、払い出された薬剤を回収するためのホッパー、及び、このホッパーの製造方法に関するものである。
【背景技術】
【０００２】
従来、薬剤払出装置として、上下及び左右方向に並設した錠剤ケースから錠剤を払い出し、下方側に配置したホッパーにより１箇所に回収するようにした構成のものが公知である（例えば、特許文献１〜５参照）。特許文献１〜４のホッパー内には、仕切部材、縦壁、カーテン等の衝撃吸収部材が設けられ、落下してきた錠剤が一方の傾斜パネルから他方の傾斜パネルに跳ね返ることを防止するようにしている。また、特許文献５のホッパー内には、ホッパーの内面に対して所定間隔で上方に配置された上方空間遮蔽体からなる飛び跳ね防止手段が設けられ、落下してきた錠剤が跳ね返るのを防止するようにしている。
【０００３】
しかしながら、前記従来の薬剤払出装置では、ホッパーが漏斗状に形成されており、占有スペースが大きいという問題がある。また、錠剤には、断面楕円形状等の異形状のものがあり、跳ね返り方向が予測できない。さらに、錠剤の硬さには様々なものがあり、その脆性や弾性も大きく異なる。このため、漏斗状に形成されただけのホッパーでは、異形状の錠剤の回収を安定して行うことは難しい。
【０００４】
特に、前記特許文献１〜４に記載の薬剤払出装置では、錠剤が衝突する際の衝撃を吸収するための衝撃吸収部材が必要である。衝突する錠剤の速度には様々なものがあるが、この衝撃吸収部材には、錠剤が想定されるどのような速度で衝突したとしても十分にその衝撃力を吸収できるような材料を選定する必要がある。また、衝撃力を十分に吸収して錠剤の速度を十分に低下させるので、この錠剤が静電力によって付着することを防止する必要もある。このため、衝撃吸収部材に採用可能な材料に大きな制約があり、コストアップを招来したり、加工が面倒となったりするといった問題がある。
【０００５】
また、前記特許文献５に記載の薬剤払出装置では、上方空間遮蔽体がホッパーの内面に対して所定間隔で上方に配置されているだけであるため、上方から落下してきた錠剤の速度如何によっては下端開口部から排出されるまでの時間が大きく相違する。また、錠剤の移動速度が十分に緩和されず、割れ等が発生する恐れがある。
【先行技術文献】
【特許文献】
【０００６】
【特許文献１】特開平５−１３２００３号公報
【特許文献２】特許第３７０６５８８号公報
【特許文献３】特開２００１−１２９０５９
【特許文献４】特開２００５−１６２２３７号公報
【特許文献５】特許第３５３４５３８号公報
【発明の概要】
【発明が解決しようとする課題】
【０００７】
本発明は、従来とは全く異なる、簡単かつ安価な構成であるにも拘わらず、複数の異なる高さから払い出された薬剤を、それ程時間差を生じさせることなく、スムーズに集約して回収することのできる薬剤払出装置、ホッパー、及び、その製造方法を提供することを課題とする。
【課題を解決するための手段】
【０００８】
本発明は、前記課題を解決するための手段として、
上下方向に並設される複数の錠剤収容部と、前記錠剤収容部に沿って上下方向に延びる錠剤通路とを備えた薬剤供給ユニットと、
前記錠剤収容部から払い出されて前記錠剤通路を落下した錠剤を集める案内通路と、
を備え、
前記案内通路は、前記錠剤通路からの薬剤が衝突して、方向変換する複数の方向変換部を備えたことを特徴とする薬剤払出装置を提供する。
【０００９】
前記方向変換部は、衝突する錠剤を、少なくとも上方には向かわないように方向変換させるのが好ましい。
【００１０】
前記方向変換部は、傾斜方向の相違する複数の傾斜面で構成すればよい。
【００１１】
前記方向変換部による方向変換の振れ幅は、下方に向かうに従って小さくなるようにするのが好ましい。
【００１２】
前記案内通路は、下方側に向かうに従って開口面積が小さくなるように形成されているのが好ましい。
【発明の効果】
【００１３】
本発明によれば、案内通路に、通過する錠剤が衝突して方向変換させる方向変換部を複数形成するようにしたので、高さの異なる各薬剤カセットから払い出された薬剤を、それほど時間差を生じさせることなくスムーズに集約して回収することができる。また、通過する錠剤を方向変換させるだけでよいので、構成を簡略化して安価に製作することができる。
【図面の簡単な説明】
【００１４】
【図１】本実施形態に係る薬剤払出装置の概略正面図である。
【図２】図１のある錠剤カセットから錠剤を払い出す場合の移動経路の例を示す概略斜視図である。
【図３】錠剤の移動経路を示す薬剤払出装置の側面図である。
【図４】錠剤の移動経路を示す薬剤払出装置の正面図である。
【図５】（ａ）は他の実施形態に係る薬剤払出装置の概略部分斜視図、（ｂ）はその正面図、（ｃ）はその側面図である。
【発明を実施するための形態】
【００１５】
以下、本発明に係る実施形態を添付図面に従って説明する。なお、以下の説明では、必要に応じて特定の方向や位置を示す用語（例えば、「上」、「下」、「側」、「端」含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物或いはその用途を制限することを意図するものではない。
【００１６】
図１は、本実施形態に係る薬剤払出装置を示す。この薬剤払出装置は、錠剤供給ユニット１を備える。
【００１７】
錠剤供給ユニット１は、上下方向及び左右方向に、カセット装着部としてモータベース２がそれぞれ配置されている。各モータベース２には、錠剤カセット３がそれぞれ着脱可能となっている。モータベース２の詳細については図示しないが、モータを内蔵し、ギアを介して錠剤カセット３のロータへと動力を伝達するように構成されている。また、錠剤供給ユニット１には、上下方向に配置された錠剤カセット３の各列に対して背面側に錠剤通路４がそれぞれ設けられている。これら錠剤通路４により、錠剤カセット３から払い出された錠剤が下方側へと案内されて落下する。
【００１８】
錠剤カセット３は、略直方体の箱状で、ロット番号で管理される同一種類の錠剤が収容されている。錠剤カセット３内には図示しないロータが設けられ、その外周部にはポケット部が複数形成されている。各ポケット部には、錠剤カセット３内に収容した錠剤が１つずつ保持される。ロータは、モータベース２に設けたモータの駆動力がギアを介して伝達されて回転する。そして、ロータが回転すると、ポケット部に保持した錠剤が、順次、錠剤通路４へと払い出される。
【００１９】
錠剤供給ユニット１の下方にはホッパー５が配設されている。ホッパー５は、合成樹脂材料を正面から見て略逆三角形の中空形状に形成したもので、下方に向かうに従って徐々に開口面積が小さくなっている（ここでは、図３及び図４に示すように、左右方向及び前後方向のいずれの寸法も小さくなっている。）。ホッパー５の内部は、複数の仕切壁６によって左右方向に分割され、各錠剤通路４に対応する複数の案内通路７が形成されている（案内通路７の一部は２つの錠剤通路に対応している。）。各仕切壁６は、ホッパー５の下端開口部の近傍まで延び、各案内通路７の途中で、適宜、通路側に突出する突出部８を形成されている。突出部８は、案内通路７内に落下してきた錠剤が仕切壁６に衝突し、左右方向に大きく跳ね返るのを防止する。
【００２０】
また、ホッパー５は、背面板９と前面板１０とが前後方向に交互に屈曲して形成されている。錠剤通路４を落下する錠剤が侵入する位置には、背面板９の上方部に形成した第１傾斜面１１が位置している。第１傾斜面１１は、衝突した錠剤が鉛直上方（少なくとも上方）には向かわないようにするためのものである。また、前面板１０には、第１傾斜面１１で跳ね返った錠剤が衝突し、強制的に下方側へと向かわせる第２傾斜面１２が形成されている。また、第２傾斜面１２に連続して、前記第１傾斜面１１と同様な第３傾斜面１３が形成されている。以下同様に、背面板９に、第４傾斜面１４及び第５傾斜面１５が、前面板１０に、第６傾斜面１６がそれぞれ形成されている。そして、下方側の傾斜面に向かうほど、前後方向の振れ幅が小さくなるように形成されている。また、各傾斜面の間は湾曲面で連続し、錠剤のスムーズな移動を実現している。
【００２１】
ところで、錠剤が仕切壁６に衝突して跳ね返って鉛直上方へと向かえば、その頂点に到達した時点で、一瞬無重力の状態となる。このとき、ホッパー５からの静電力が錠剤に作用すれば、錠剤がホッパー５に付着する恐れがある。前記各傾斜面の存在により、錠剤が鉛直上方へとは跳ね返らず、頂点で静止状態となることがない。また、錠剤が下方側の傾斜面へと移動するに従って徐々に開口面積が小さくなるように形成されている。また、下方側の傾斜面の前後方向の振れ幅が徐々に小さくなっている。このため、錠剤の跳ね返る寸法が徐々に抑制される。したがって、仕切壁６で跳ね返った錠剤がホッパー５に付着しないばかりか、錠剤に与える衝撃力も徐々に緩和される。そして、衝撃力の緩和により、錠剤はホッパー５の下端開口部から排出される時点では移動速度が抑制され、次工程（ここでは、包装工程）への移動をスムーズに行わせることが可能となる。
【００２２】
なお、前記各傾斜面は必ずしも平面上でなくてもよく、若干、凹状又は凸状に湾曲した形状であっても構わない。要するに、案内通路７の形状は、通過する錠剤を急激に速度を低下させることなく、ジグザグ状に下方側へと移動させることができるものであればよく、必要に応じて形状の変更は自由に行うようにすればよい。
【００２３】
前記構成のホッパー５は次のようにして製造する。
【００２４】
すなわち、成形加工により、背面板９と前面板１０とをそれぞれ形成する。このとき、背面板９と前面板１０のいずれか一方あるいは双方に仕切壁６を形成しておく。そして、背面板９と前面板１０を互いに貼り合わせてホッパー５を得る。
【００２５】
このように、ホッパー５は、成形加工で、背面板９と前面板１０をそれぞれ形成し、両者を貼り合わせるだけでよいので、簡単かつ安価に製造することができる。
【００２６】
次に、前記構成の薬剤払出装置の動作について説明する。
【００２７】
入力された処方データに従って、該当する錠剤が収容された錠剤カセット３で、モータベース２内のモータを駆動する。モータの駆動により錠剤カセット３内のロータが回転し、そのポケット部に順次保持される錠剤が錠剤通路４へと払い出される。錠剤通路４に払い出された錠剤は、図２に示すように、自重により落下し、ホッパー５に至る。ホッパー５は、前述のように、仕切壁６が形成されることにより、各錠剤通路４に対応して案内通路７が形成されている。これにより、ある錠剤通路４に対してある案内通路７が対応し、ホッパー５内に侵入した錠剤の移動範囲が従来のように広がることはない。また、下方に向かうに従って案内通路７の開口面積が小さくなるように形成されているので、錠剤の移動範囲は徐々に規制される。
【００２８】
また、案内通路７では、図３に示すように、錠剤は、まず、第１傾斜面１１に衝突し、方向変換されて第２傾斜面１２あるいは第３傾斜面１３へと向かう。第１傾斜面１１に衝突した錠剤は、鉛直上方に向かうことがないので、一時的に無重力状態となることがなく、ホッパー５から静電力が作用したとしても、吸着されてしまうことはない。また、第２傾斜面１２あるいは第３傾斜面１３に至った錠剤は、さらに跳ね返って順次下方側の傾斜面へと向かい、下端開口部に至った時点では十分に移動速度が抑制されている。また、仕切壁６によっても、錠剤はジグザグ状に移動し、同様の効果が得られる。しかも、仕切壁６に設けた突出部８によって、適宜、速度が緩和される。この結果、錠剤は案内通路７内をスムーズに下端開口部に向かって移動する。
【００２９】
なお、本発明は、前記実施形態に記載された構成に限定されるものではなく、種々の変更が可能である。
【００３０】
前記実施形態では、錠剤の払出について説明したが、カプセル等の他の薬剤であっても、同様な構成のホッパー５により対応することができる。
【００３１】
また、前記実施形態では、ホッパー５の形状を、正面から見て略逆三角形状としたが、この形状に限らず、逆円錐形状、逆台形状等、下方に向かうに従って開口面積が小さくなるような形状であれば、いずれの形状を採用することも可能である。また、下方に向かうに従って開口面積が小さくなる形状に限らず、同じあるいは若干広くなる形状であっても、途中の複数箇所で屈曲するような形状であれば、十分に効果を発揮することができる。また、案内通路７は、前後方向に交互に屈曲させるようにしたが、方向を異ならせるのであれば、前後方向に限らず、左右や斜め方向に屈曲させることも可能である。また、１つのホッパー５内を複数の案内通路７に分割するように構成したが、案内通路７は個別に形成することも可能である。個別に形成した場合、前述のような屈曲方向の変更が容易となる。
【００３２】
また、前記実施形態では、ホッパー５に設けた案内通路７を前後方向にのみ屈曲させるようにしたが、例えば、図５に示すように、正面から見て左右方向に屈曲させるように構成することも可能である（図５では、前後方向にも屈曲させているが、左右方向のみであっても構わない。）。また、図５では、錠剤カセット３が上下方向に１列だけの構成を開示したが、複数列であっても、同様な案内通路７を複数形成するようにすればよい。なお、案内通路７は、図４に示すものと同様に、ホッパー５内に設ける仕切壁６や突出部８によって、左右方向に屈曲させるように構成しても構わない。
【符号の説明】
【００３３】
１…錠剤供給ユニット
２…モータベース
３…錠剤カセット
４…錠剤通路
５…ホッパー
６…仕切壁
７…案内通路
８…突出部
９…背面板
１０…前面板
１１…第１傾斜面
１２…第２傾斜面
１３…第３傾斜面
１４…第４傾斜面
１５…第５傾斜面
１６…第６傾斜面
【図１】
2014205055.tif 000003
【図２】
2014205055.tif 000004
【図３】
2014205055.tif 000005
【図４】
2014205055.tif 000006
【図５】
2014205055.tif 000007